(57)【要約】  【課題】  セキュリティ能力を向上することのできる協調認証装置を提供する。  【解決手段】  協調認証装置１は、走行前又は走行後に搭乗者４が所持する記憶媒体３から搭乗者の免許情報を入力する免許情報入力手段１１と、搭乗者４の生体特徴情報を入力する生体特徴情報入力手段１２と、予め登録された搭乗者の免許情報及び生体特徴情報をそれぞれ登録免許情報及び登録生体特徴情報として記憶する登録情報記憶手段１３と、免許情報を登録免許情報に基づいて認証する免許情報認証手段１４と、認証されたときに車両２の少なくとも１つの機能の動作を制御する第１の制御手段１５と、認証されたときに生体特徴情報を登録生体特徴情報に基づいて認証する生体特徴情報認証手段１６と、認証されたときに車両２の少なくとも１つの機能の動作を制御する第２の制御手段１７と、を備える。【選択図】  図１
2005248445.tif 000002
【特許請求の範囲】
【請求項１】
車両の走行前又は走行後に、搭乗者が所持する記憶媒体から免許情報を入力する免許情報入力手段と、
前記搭乗者の生体特徴情報を入力する生体特徴情報入力手段と、
予め登録された搭乗者の免許情報及び生体特徴情報を、それぞれ、登録免許情報及び登録生体特徴情報として記憶する登録情報記憶手段と、
前記免許情報を前記登録免許情報に基づいて認証する免許情報認証手段と、
前記免許情報認証手段において認証されたときに、前記車両の少なくとも１つの機能の動作を制御する第１の制御手段と、
前記免許情報認証手段において認証されたときに、前記生体特徴情報を前記登録生体特徴情報に基づいて認証する生体特徴情報認証手段と、
前記生体特徴情報認証手段において認証されたときに、前記車両の少なくとも１つの機能の動作を制御する第２の制御手段と、を備える協調認証装置。
【請求項２】
前記免許情報入力手段が、車外に設置される車外免許情報入力手段と、車内に設置される車内免許情報入力手段とを含む請求項１に記載の協調認証装置。
【請求項３】
前記第１の制御手段が、前記車外免許情報入力手段から入力された免許情報が前記免許情報認証手段により認証されたときに前記車両のドアの解錠あるいは施錠を制御するドア解施錠制御手段と、前記車内免許情報入力手段から入力された免許情報が前記免許情報認証手段により認証されたときに前記車両のエンジンの始動を制御するエンジン始動制御手段とを含む請求項２に記載の協調認証装置。
【請求項４】
前記生体特徴情報入力手段が、前記搭乗者の顔情報を入力する顔情報入力手段、前記搭乗者の虹彩情報を入力する虹彩情報入力手段、及び前記搭乗者の指紋情報を入力する指紋情報入力手段の少なくとも１つを含み、
前記登録情報記憶手段が、予め登録された搭乗者の顔情報、虹彩情報、及び指紋情報の少なくとも１つを、それぞれ、登録顔情報、登録虹彩情報、及び登録指紋情報として記憶し、
前記生体特徴情報認証手段が、前記顔情報を前記登録顔情報に基づいて認証する顔情報認証手段、前記虹彩情報を前記登録虹彩情報に基づいて認証する虹彩情報認証手段、及び前記指紋情報を前記登録指紋情報に基づいて認証する指紋情報認証手段の少なくとも１つを含む請求項２又は請求項３に記載の協調認証装置。
【請求項５】
前記第２の制御手段が、少なくとも前記車両のシート位置を制御するシート位置制御手段を含む請求項４に記載の協調認証装置。
【請求項６】
前記免許情報入力手段が、前記車外に設置された車外免許情報入力手段である請求項１に記載の協調認証装置。
【請求項７】
前記第１の制御手段が、前記車外免許情報入力手段から入力された免許情報が前記免許情報認証手段により認証されたときに前記車両のドアの解錠あるいは施錠を制御するドア解施錠手段である請求項６に記載の協調認証装置。
【請求項８】
前記生体特徴情報入力手段が、前記搭乗者の顔情報を入力する顔情報入力手段、前記搭乗者の虹彩情報を入力する虹彩情報入力手段、及び前記搭乗者の指紋情報を入力する指紋情報入力手段の少なくとも１つを含み、
前記登録情報記憶手段が、予め登録された搭乗者の顔情報、虹彩情報、及び指紋情報の少なくとも１つを、それぞれ、登録顔情報、登録虹彩情報、及び登録指紋情報として記憶し、
前記生体特徴情報認証手段が、前記顔情報を前記登録顔情報に基づいて認証する顔情報認証手段、前記虹彩情報を前記登録虹彩情報に基づいて認証する虹彩情報認証手段、及び前記指紋情報を前記登録指紋情報に基づいて認証する指紋情報認証手段の少なくとも１つを含む請求項５又は請求項６に記載の協調認証装置。
【請求項９】
前記第２の制御手段が、少なくとも前記車両のエンジンの始動を制御するエンジン始動制御手段を含む請求項８に記載の協調認証装置。
【請求項１０】
前記記憶媒体が、電子運転免許証である請求項１から請求項９のいずれか１項に記載の協調認証装置。
【請求項１１】
前記登録情報記憶手段に記憶される前記登録免許情報及び前記登録生体特徴情報を変更する登録情報変更手段を含む請求項１から請求項１０のいずれか１項に記載の協調認証装置。
【請求項１２】
車両の走行前又は走行後に、搭乗者が所持する記憶媒体から前記搭乗者の免許情報を入力する免許情報入力段階と、
前記搭乗者の生体特徴情報を入力する生体特徴情報入力段階と、
予め登録された搭乗者の免許情報及び生体特徴情報を、それぞれ、登録免許情報及び登録生体特徴情報として記憶する登録情報記憶段階と、
前記免許情報を前記登録免許情報に基づいて認証する免許情報認証段階と、
前記免許情報認証段階において認証されたときに、前記車両の少なくとも１つの機能の動作を制御する第１の制御段階と、
前記免許情報認証段階において認証されたときに、前記生体特徴情報を前記登録生体特徴情報に基づいて認証する生体特徴情報認証段階と、
前記生体特徴情報認証段階において認証されたときに、前記車両の少なくとも１つの機能の動作を制御する第２の制御段階と、を含む協調認証方法。
【請求項１３】
前記免許情報入力段階が、前記車外に設置される車外免許情報入力装置から免許情報を入力する車外免許情報入力段階と、前記車内に設置される車内免許情報入力装置から免許情報を入力する車内免許情報入力段階とを含む請求項１２に記載の協調認証方法。
【請求項１４】
前記第１の制御段階が、前記車外免許情報入力装置から入力された免許情報が前記免許情報認証段階で認証されたときに前記車両のドアの解錠あるいは施錠を制御するドア解施錠制御段階と、前記車内免許情報入力装置から入力された免許情報が前記免許情報認証段階で認証されたときに前記車両のエンジンの始動を制御するエンジン始動制御段階とを含む請求項１３に記載の協調認証方法。
【請求項１５】
前記生体特徴情報入力段階が、前記搭乗者の顔情報を入力する顔情報入力段階、前記搭乗者の虹彩情報を入力する虹彩情報入力段階、及び前記搭乗者の指紋情報を入力する指紋情報入力段階の少なくとも１つを含み、
前記登録情報記憶段階が、予め登録された搭乗者の顔情報、虹彩情報、及び指紋情報の少なくとも１つを、それぞれ、登録顔情報、登録虹彩情報、及び登録指紋情報として記憶し、
前記生体特徴情報認証段階が、前記顔情報を前記登録顔情報に基づいて認証する顔情報認証段階、前記虹彩情報を前記登録虹彩情報に基づいて認証する虹彩情報認証段階、及び前記指紋情報を前記登録指紋情報に基づいて認証する指紋情報認証段階の少なくとも１つを含む請求項１３又は請求項１４に記載の協調認証方法。
【請求項１６】
前記第２の制御段階が、少なくとも前記車両のシート位置を制御するシート位置制御段階を含む請求項１５に記載の協調認証方法。
【請求項１７】
前記免許情報入力段階が、前記車外に設置された車外免許情報入力装置から免許情報を入力する車外免許情報入力段階である請求項１２に記載の協調認証方法。
【請求項１８】
前記第１の制御段階が、前記車外免許情報入力装置から入力された免許情報が前記免許情報認証段階で認証されたときに前記車両のドアの解錠あるいは施錠を制御するドア解施錠制御段階である請求項１７に記載の協調認証方法。
【請求項１９】
前記生体特徴情報入力段階が、前記搭乗者の顔情報を入力する顔情報入力段階、前記搭乗者の虹彩情報を入力する虹彩情報入力段階、及び前記搭乗者の指紋情報を入力する指紋情報入力段階の少なくとも１つを含み、
前記登録情報記憶段階が、予め登録された搭乗者の顔情報、虹彩情報、及び指紋情報の少なくとも１つを、それぞれ、登録顔情報、登録虹彩情報、及び登録指紋情報として記憶し、
前記生体特徴情報認証段階が、前記顔情報を前記登録顔情報に基づいて認証する顔情報認証段階、前記虹彩情報を前記登録虹彩情報に基づいて認証する虹彩情報認証段階、及び前記指紋情報を前記登録指紋情報に基づいて認証する指紋情報認証段階の少なくとも１つを含む請求項１６又は請求項１７に記載の協調認証方法。
【請求項２０】
前記第２の制御段階が、少なくとも前記車両のエンジンの始動を制御するエンジン始動制御段階を含む請求項１９に記載の協調認証方法。
【請求項２１】
前記登録情報記憶段階で記憶される前記登録免許情報及び前記登録生体特徴情報を変更する登録情報変更段階を含む請求項１２から請求項２０のいずれか１項に記載の協調認証方法。
【発明の詳細な説明】
【技術分野】
【０００１】
本発明は、個人認証システムに係り、特に、複数種類の個人認証を組み合わせてセキュリティ能力を向上することのできる個人認証システムに関する。
【背景技術】
【０００２】
近年、盗難防止能力を向上するために、搭乗者のＩＣカード又は生体的特徴を使用した個人認証装置を車両に搭載する場合がある（例えば特許文献１参照）。
【０００３】
図１３は従来の認証装置の構成図であって、車両のインストルメンタルパネル内の運転者の視線と対向する位置にＣＣＤカメラ９２を、ＣＣＤカメラ９２の光軸上にハーフミラー９４を配置する。運転者が、ハーフミラー９４に投影されるＬＣＤ９３に表示される運転情報を目視している間に、ＣＣＤカメラ９２で運転者の虹彩パターンが撮影される。この虹彩パターンとアイリス照合部９６に登録されている登録虹彩パターンとを照合することにより個人認証を行い、正規運転者と認証された場合には、イモビライザ９５を解除するほか、イグニッションスイッチのロック解除、ドアロックの解除等を行っていた。
【特許文献１】特開２０００−１６８５０２号公報
【発明の開示】
【発明が解決しようとする課題】
【０００４】
しかしながら、従来の認証装置にあっては、１回の認証で各種装置の動作を許容しているので、盗難防止能力を充分に確保することが困難であるという課題があった。
【０００５】
本発明は向上するためになされたものであって、複数種類の個人認証を組み合わせてセキュリティ能力を向上することのできる個人認証システムを提供することを目的とする。
【課題を解決するための手段】
【０００６】
本発明の協調認証装置は、車両の走行前又は走行後に搭乗者が所持する記憶媒体から前記搭乗者の免許情報を入力する免許情報入力手段と、前記搭乗者の生体特徴情報を入力する生体特徴情報入力手段と、予め登録された搭乗者の免許情報及び生体特徴情報をそれぞれ登録免許情報及び登録生体特徴情報として記憶する登録情報記憶手段と、前記免許情報を前記登録免許情報に基づいて認証する免許情報認証手段と、前記免許情報認証手段において認証されたときに前記車両の少なくとも１つの機能の動作を制御する第１の制御手段と、前記免許情報認証手段において認証されたときに前記生体特徴情報を前記登録生体特徴情報に基づいて認証する生体特徴情報認証手段と、前記生体特徴情報認証手段において認証されたときに前記車両の少なくとも１つの機能の動作を制御する第２の制御手段とを備える構成を有している。
【０００７】
この構成により、免許情報により認証がなされたときにだけ生体特徴認証が実行されることとなる。
【０００８】
本発明の協調認証装置は、前記免許情報入力手段が、車外に設置される車外免許情報入力手段と、車内に設置される車内免許情報入力手段とを含む構成を有している。
【０００９】
この構成により、車外免許情報入力手段及び車内免許情報入力手段から入力された免許情報で認証が実行されることとなる。
【００１０】
本発明の協調認証装置は、前記第１の制御手段が、前記車外免許情報入力手段から入力された免許情報が前記免許情報認証手段により認証されたときに前記車両のドアの解錠あるいは施錠を制御するドア解施錠制御手段と、前記車内免許情報入力手段から入力された免許情報が前記免許情報認証手段により認証されたときに前記車両のエンジンの始動を制御するエンジン始動制御手段とを含む構成を有している。
【００１１】
この構成により、車外免許情報入力手段から入力された免許情報が認証されたときにドアが解錠又は施錠され、車内免許情報入力手段から入力された免許情報が認証されたときにエンジンの始動が制御されることとなる。
【００１２】
本発明の協調認証装置は、前記生体特徴情報入力手段が、前記搭乗者の顔情報を入力する顔情報入力手段、前記搭乗者の虹彩情報を入力する虹彩情報入力手段、及び前記搭乗者の指紋情報を入力する指紋情報入力手段の少なくとも１つを含み、前記登録情報記憶手段が、予め登録された搭乗者の顔情報、虹彩情報、及び指紋情報の少なくとも１つを、それぞれ、登録顔情報、登録虹彩情報、及び登録指紋情報として記憶し、前記生体特徴情報認証手段が、前記顔情報を前記登録顔情報に基づいて認証する顔情報認証手段、前記虹彩情報を前記登録虹彩情報に基づいて認証する虹彩情報認証手段、及び前記指紋情報を前記登録指紋情報に基づいて認証する指紋情報認証手段の少なくとも１つを含む構成を有している。
【００１３】
この構成により、顔情報、虹彩情報、又は指紋情報により生体特徴情報認証が行われることとなる。
【００１４】
本発明の協調認証装置は、前記第２の制御手段が、少なくとも前記車両のシート位置を制御するシート位置制御手段を含む構成を有している。
【００１５】
この構成により、生体特徴情報により認証がなされたときに、シート位置が制御されることとなる。
【００１６】
本発明の協調認証装置は、前記免許情報入力手段が、前記車外に設置された車外免許情報入力手段である構成を有している。
【００１７】
この構成により、車外免許情報入力手段から入力された免許情報で認証が実行されることとなる。
【００１８】
本発明の協調認証装置は、前記第１の制御手段が、前記車外免許情報入力手段から入力された免許情報が前記免許情報認証手段により認証されたときに前記車両のドアの解錠あるいは施錠を制御するドア解施錠制御手段である構成を有している。
【００１９】
この構成により、車外免許情報入力手段から入力された免許情報が認証されたときにドアが解錠又は施錠されることとなる。
【００２０】
本発明の協調認証装置は、前記生体特徴情報入力手段が、前記搭乗者の顔情報を入力する顔情報入力手段、前記搭乗者の虹彩情報を入力する虹彩情報入力手段、及び前記搭乗者の指紋情報を入力する指紋情報入力手段の少なくとも１つを含み、前記登録情報記憶手段が、予め登録された搭乗者の顔情報、虹彩情報、及び指紋情報の少なくとも１つを、それぞれ、登録顔情報、登録虹彩情報、及び登録指紋情報として記憶し、前記生体特徴情報認証手段が、前記顔情報を前記登録顔情報に基づいて認証する顔情報認証手段、前記虹彩情報を前記登録虹彩情報に基づいて認証する虹彩情報認証手段、及び前記指紋情報を前記登録指紋情報に基づいて認証する指紋情報認証手段の少なくとも１つを含む構成を有している。
【００２１】
この構成により、顔情報、虹彩情報、又は指紋情報により生体特徴情報認証が行われることとなる。
【００２２】
本発明の協調認証装置は、前記第２の制御手段が、少なくとも前記車両のエンジンの始動を制御するエンジン始動制御手段を含む構成を有している。
【００２３】
この構成により、生体特徴情報により認証がなされたときに、エンジンの始動が許可されることとなる。
【００２４】
本発明の協調認証装置は、前記記憶媒体が、電子運転免許証である構成を有している。
【００２５】
この構成により、電子運転免許証により免許情報認証が行われることとなる。
【００２６】
本発明の協調認証装置は、前記登録情報記憶手段に記憶される前記登録免許情報及び前記登録生体特徴情報を変更する登録情報変更手段を含む構成を有している。
【００２７】
この構成により、登録免許情報及び登録生体特徴情報が変更されることとなる。
【発明の効果】
【００２８】
本発明は、免許情報認証手段及び生体特徴情報認証手段を設けることにより、セキュリティ能力を向上することのできる協調認証装置を提供することができるものである。
【発明を実施するための最良の形態】
【００２９】
以下、本発明の実施の形態の協調認証装置について、図面を用いて説明する。
【００３０】
本発明の実施形態の協調認証装置の機能構成を図１に示す。
【００３１】
図１において、協調認証装置１は、車両２の走行前又は走行後に搭乗者４が所持する記憶媒体３から免許情報を入力する免許情報入力手段１１と、搭乗者４の生体特徴情報を入力する生体特徴情報入力手段１２と、予め登録された搭乗者の免許情報及び生体特徴情報をそれぞれ登録免許情報及び登録生体特徴情報として記憶する登録情報記憶手段１３と、免許情報を登録免許情報に基づいて認証する免許情報認証手段１４と、免許情報認証手段１４において認証されたときに車両２の少なくとも１つの機能の動作を制御する第１の制御手段１５と、免許情報認証手段１４において認証されたときに生体特徴情報を登録生体特徴情報に基づいて認証する生体特徴情報認証手段１６と、生体特徴情報認証手段１６において認証されたときに車両２の少なくとも１つの機能の動作を制御する第２の制御手段１７と、を備える。
【００３２】
本発明の実施形態の協調認証装置１のハードウエア構成を図２に示す。
【００３３】
図２において、協調認証装置１は、マイクロプロセッサ５と、免許情報入力手段１１として機能する免許情報入力装置と、生体特徴情報入力手段１２として機能する生体情報入力装置とを含む。
【００３４】
マイクロプロセッサ５は、バス５０に、ＣＰＵ５１と、メモリ５２と、ユーザインターフェイス（Ｉ／Ｆ）５３と、免許情報入力Ｉ／Ｆ５４と、生体特徴情報入力Ｉ／Ｆ５５と、エンジンＩ／Ｆ５６と、シート位置制御Ｉ／Ｆ５７とを接続した構成を有する。
【００３５】
ユーザＩ／Ｆ５３には、ＬＣＤ表示パネル６１と、ＬＣＤ表示パネル６１の前面に配置されるタッチパネル６２と、少なくとも１つの発光ダイオード（ＬＥＤ）６３と、スピーカ６４とが接続される。
【００３６】
ＬＥＤ６３は、協調認証装置１が認証を実行しているときに、搭乗者４に認証実行中であることを表示するために使用される。また、スピーカ６４は、協調認証装置１が、認証結果、及び認証結果に基づく制御を実行する際に、その内容を搭乗者４に音声告知するために使用される。
【００３７】
免許情報入力Ｉ／Ｆ５４には、車外（例えばサイドミラー）に配置される車外免許情報入力装置２１と、車内（例えばイグニッションスイッチ脇）に配置される車内免許情報入力装置２２とが接続される。
【００３８】
生体特徴情報入力Ｉ／Ｆ５５には、インストルメント・パネルに配置される顔情報撮像装置２３と、サンバイザに配置される虹彩情報撮像装置２４と、ドア内側に配置される指紋情報入力装置２５とが接続される。
【００３９】
エンジンＩ／Ｆ５６にはエンジンルームに配置されるイモビライザ２６が接続され、シート位置制御Ｉ／Ｆ５７には運転シートに配置されるシート位置制御装置２７が接続される。
【００４０】
記憶媒体３として機能する電子運転免許証３０の構成図を図３に示す。
【００４１】
図３において、電子運転免許証３０は、バス３１に、ＣＰＵ３２と、メモリ３３と、通信Ｉ／Ｆ３４とが接続された構成を有する。そして、通信Ｉ／Ｆ３４には、アンテナ３５が接続されている。
【００４２】
メモリ３３には、電子運転免許証３０の所有者の免許情報（氏名、住所、生年月日、性別等）が予め記憶されている。
【００４３】
電子運転免許証３０が、車外免許情報入力装置２１又は車内免許情報入力装置２２に近づけられると、車外免許情報入力装置２１又は車内免許情報入力装置２２から放射される電波がアンテナ３５で受信され、この電波から電力を得て電子運転免許証３０が動作し、メモリ３３に記憶されている免許情報が、車外免許情報入力装置２１又は車内免許情報入力装置２２に送信される。
【００４４】
以下に協調認証装置の動作を説明する。
【００４５】
協調認証装置１のＣＰＵ５１は、図４に示される第１の協調認証ルーチンのフローチャートに従って、協調認証処理を実行する。
【００４６】
まず、ＣＰＵ５１は、車外免許情報入力装置２１から入力される免許情報とメモリ５２に予め記憶されている登録免許情報とを使用して走行前車外免許情報認証処理を実行（ステップＳ４０１）する。
ＣＰＵ５１は、車外免許情報入力装置２１から入力される免許情報と登録免許情報とが一致したか否かを判定（ステップＳ４０２）し、一致したときは車両２のドアを解錠（ステップＳ４０３）するとともに、「エントリＯＫ」フラグをセット状態とし、一致しなかったときはドアを解錠せず、「エントリＯＫ」フラグをリセット状態のまま協調認証処理を終了する。
【００４７】
なお、ステップＳ４０１からステップＳ４０３の動作の詳細を、図５の走行前車外免許情報認証詳細動作表に示す。
【００４８】
なお、詳細動作表において、シート１は「虹彩情報入力用シート位置」を、シート２は「顔情報入力用シート位置」を、シート３は「運転用シート位置」を示す。
【００４９】
次に、ＣＰＵ５１は、「エントリＯＫ」フラグがセット状態であることを確認後、車内免許情報入力装置２２から入力される免許情報とメモリ５２に予め記憶されている登録免許情報とを使用して車内免許情報認証処理を実行（ステップＳ４０４）する。
【００５０】
ＣＰＵ５１は、車外免許情報入力装置２１から入力される免許情報と登録免許情報とが一致したか否かを判定（ステップＳ４０５）し、一致したときは車両２のイモビライザ２６を解除（ステップＳ４０６）し、一致しなかったときはイモビライザ２６を解除することなく協調認証処理を終了する。
【００５１】
なお、ステップＳ４０４からステップＳ４０６の動作の詳細を、図６の車内免許情報認証詳細動作表に示す。
【００５２】
次に、ＣＰＵ５１は、「エントリＯＫ」フラグがセット状態であることを確認後、生体特徴情報入力装置から入力された生体特徴情報とメモリ５２に予め記憶されている登録生体特徴情報とを使用して生体特徴情報認証処理を実行（ステップＳ４０７）する。
【００５３】
ＣＰＵ５１は、生体特徴情報入力装置から入力された生体特徴情報と登録生体情報とが一致するか否かを判定（ステップＳ４０８）し、一致したときは車両２が具備する制御機能の動作を許容（ステップＳ４０９）し、一致しなかったときは動作を許容することなく協調認証処理を終了する。
【００５４】
なお、車両２が具備する制御機能としては、運転者のシート位置制御機能、車両状態送信機能等がある。
【００５５】
生体特徴情報として指紋情報を使用する場合には、ＣＰＵ５１は、指紋情報入力装置２５から入力された指紋情報とメモリ５２に予め記憶されている登録指紋情報とを使用して指紋情報認証処理を実行（ステップＳ４０７）する。
【００５６】
ＣＰＵ５１は、指紋情報入力装置２５から入力された指紋情報と登録指紋情報とが一致したか否かを判定（ステップＳ４０８）し、一致したときはシート位置制御装置２７の動作を許容（ステップＳ４０９）し、一致しなかったときはシート位置制御装置２７の動作を許容することなく協調認証処理を終了する。
【００５７】
生体特徴情報として指紋情報を使用した場合のステップＳ４０７からステップＳ４０９の動作の詳細を、図７の指紋情報認証詳細動作表に示す。
【００５８】
なお、生体特徴情報として、顔情報又は虹彩情報を使用することができることは明らかである。
【００５９】
車両２の走行が終了しドアを施錠する際には、ＣＰＵ５１は、「エントリＯＫ」フラグがセット状態であることを確認後、車外免許情報入力装置２１から入力された免許情報とメモリ５２に予め記憶されている登録免許情報とを使用して走行後免許情報認証処理を実行（ステップＳ４１０）する。
【００６０】
ＣＰＵ５１は、車外免許情報入力装置２１から入力された免許情報と登録免許情報とが一致したか否かを判定（ステップＳ４１１）し、一致したときはドアの施錠を許容（ステップＳ４１２）し、次の乗車に備えてシート位置を移動するとともに、「エントリＯＫ」フラグをリセット状態とする。一致しなかったときはドアを施錠せず、「エントリＯＫ」フラグをセット状態としたのまま協調認証処理を終了する。
【００６１】
なお、ステップＳ４１０からステップＳ４１２の動作の詳細を、図８の走行後車外免許情報認証詳細動作表に示す。
【００６２】
図９は、第２の協調認証ルーチンのフローチャートであって、第１の協調認証ルーチンと同一の処理に対しては同一のステップ番号を付して、その説明を省略する。
【００６３】
ＣＰＵ５１は、走行前車外免許情報認証（ステップＳ４０１〜ステップＳ４０３）を実行した後に、第１の生体特徴認証処理を実行する。ＣＰＵ５１は、「エントリＯＫ」フラグがセット状態であることを確認後、生体特徴情報入力装置から入力された生体特徴情報とメモリ５２に予め記憶されている登録生体特徴情報とを使用して第１の生体特徴情報認証処理を実行（ステップＳ５０４）する。
【００６４】
ＣＰＵ５１は、生体特徴情報入力装置から入力された生体特徴情報と登録生体情報とが一致するか否かを判定（ステップＳ５０５）し、一致したときはイモビライザ２６を解除（ステップＳ５０６）し、一致しなかったときはイモビライザ２６を解除することなく協調認証処理を終了する。
【００６５】
次に、ＣＰＵ５１は、「エントリＯＫ」フラグがセット状態であることを確認後、生体特徴情報入力装置から入力された生体特徴情報とメモリ５２に予め記憶されている登録生体特徴情報とを使用して第２の生体特徴情報認証処理を実行（ステップＳ５０７）する。
【００６６】
ＣＰＵ５１は、生体特徴情報入力装置から入力された生体特徴情報と登録生体情報とが一致するか否かを判定（ステップＳ５０８）し、一致したときは車両２が具備する制御機能の動作（例えば、シート位置制御）を許容（ステップＳ５０９）し、一致しなかったときは動作を許容することなく協調認証処理を終了する。
【００６７】
車両２の走行終了後は、走行後車外免許情報認証（ステップＳ４１０〜ステップＳ４１２）を実行する。
【００６８】
第１の生体特徴が虹彩情報である場合の詳細動作を、図１０の虹彩情報認証詳細動作表に示す。虹彩認証においては、搭乗者４の眼と虹彩情報撮像装置２４との距離を虹彩情報の撮像に適した位置に調整する必要があるので、搭乗者４がシートに着座すると、ＣＰＵ５１はメモリ５２の記憶領域「シート１」に予め記憶されているシート位置にシートを移動（動作順序３−１−３）する。
【００６９】
シート位置が所定位置に到達すると、ＣＰＵ５１は、虹彩情報撮像装置２４で搭乗者４の虹彩を撮像し、メモリ５２に記憶されている登録虹彩情報と比較する認証を実行する。搭乗者４の虹彩が登録虹彩情報の中に含まれていれば、ＣＰＵ２１は、イモビライザ２６の解除とキーノブロックの解錠（動作順序９−１−３）を実行する。その後、ＣＰＵ５１は、シートをドライビング位置に移動（動作順序９−１−９）する。
【００７０】
なお、記憶領域「シート１」に記憶されている虹彩情報取得するためのシート位置を、追加又は変更（動作順序９−２−１〜動作順序９−２−６）することも可能である。
【００７１】
シート位置を追加する場合には、虹彩情報撮像装置２４近傍に設置されている登録スイッチをオンとして虹彩情報を撮影すればよく、その時のシート位置が、新たな虹彩情報取得シート位置として登録される。
【００７２】
なお、ＬＣＤ表示パネル６１に登録するか否かのメッセージを表示し、タッチパネル６２からの入力に応じて、シート位置を登録するようにしてもよい。
【００７３】
なお、第１の生体特徴は、顔情報又は指紋情報であってもよい。
【００７４】
第２の生体特徴が顔情報である場合の詳細動作を、図１１の顔情報認証詳細動作表に示す。なお、第２の生体特徴は、虹彩情報又は指紋情報であってもよい。
【００７５】
図１２は、免許情報認証手段１４及び生体特徴情報認証手段１６の動作遷移図である。
【産業上の利用可能性】
【００７６】
以上のように、本発明に係る協調認証装置は、免許情報認証手段及び生体特徴情報認証手段を設けることによりセキュリティ能力を向上することのできるという効果を有し、認証装置等として有効である。
【図面の簡単な説明】
【００７７】
【図１】本発明の実施の形態における協調認証装置のブロック図
【図２】本発明の実施の形態における協調認証装置のハードウエア構成図
【図３】電子免許証のブロック図
【図４】第１の協調認証ルーチンのフローチャート
【図５】走行前車外免許情報認証詳細動作表
【図６】車内免許情報認証詳細動作表
【図７】指紋情報認証詳細動作表
【図８】走行後車外免許情報認証詳細動作表
【図９】第２の協調認証ルーチンのフローチャート
【図１０】虹彩情報認証詳細動作表
【図１１】顔情報認証詳細動作表
【図１２】免許情報認証手段及び生体特徴情報認証手段の動作遷移図
【図１３】従来の認証装置の構成図
【符号の説明】
【００７８】
１  協調認証装置
１１  免許情報入力手段
１２  生体特徴情報入力手段
１３  登録情報記憶手段
１４  免許情報認証手段
１５  第１の制御手段
１６  生体特徴情報認証手段
１７  第２の制御手段
２  車両
３  記憶媒体
４  搭乗者
【図１】
2005248445.tif 000003
【図２】
2005248445.tif 000004
【図３】
2005248445.tif 000005
【図４】
2005248445.tif 000006
【図５】
2005248445.tif 000007
【図６】
2005248445.tif 000008
【図７】
2005248445.tif 000009
【図８】
2005248445.tif 000010
【図９】
2005248445.tif 000011
【図１０】
2005248445.tif 000012
【図１１】
2005248445.tif 000013
【図１２】
2005248445.tif 000014
【図１３】
2005248445.tif 000015